【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
細長刃ユニット（２）を支持するシェービングかみそり構造体において、この構造体が、
ハンドル構造体（１）と、
刃ユニット（２）を係合し、刃ユニットを、刃ユニットの長手方向軸に平行なピボット軸（Ａ）廻りで旋回可能に取り付ける刃ユニット係合構造体（１１）と、
ハンドル構造体（１）を刃ユニット係合構造体（１１）に接続し、ハンドル構造体に向かって係合構造体を下方に変位させる一対の弾性的に変形可能なアーム（２１）とを含み、
前記一対の弾性的に変形可能なアーム（２１）が、前記の下方変位方向に実質的に垂直な方向での係合構造体（１１）の動きを抑制することを特徴とするシェービングかみそり構造体。
【請求項２】
アーム（２１）が、下方変位方向とピボット軸（Ａ）とによって成される動平面に実質的に垂直な方向での係合構造体（１１）の動きを抑制する、請求項１に記載のかみそり構造体。
【請求項３】
アーム（２１）が、長手方向軸に実質的に平行な方向での係合構造体（１１）の動きを抑制する、請求項１に記載のかみそり構造体。
【請求項４】
アーム（２１）が、長手方向軸に実質的に平行な方向での係合構造体（１１）の動きを抑制する、請求項２に記載のかみそり構造体。
【請求項５】
アーム（２１）が、このアーム（２１）とハンドル構造体（１）との間を接続するハブ（２０）から延びている、請求項４に記載のかみそり構造体。
【請求項６】
刃ユニット係合構造体（１１）が、刃ユニット（２）の両端部に隣接したところで刃ユニットと旋回係合するピボット構成要素（１５）を含む、請求項５に記載のかみそり構造体。
【請求項７】
各ピボット構成要素（１５）が、刃ユニット上に設けられたジャーナル内で係合するピン（１５）を含む、請求項６に記載のかみそり構造体。
【請求項８】
刃ユニット係合構造体（１１）が、ピボット構成要素（１５）を相互接続しピボット構成要素をピボット構成要素同士の相対的な動きに抗して支える突張り部材（１６）を含む、請求項６に記載のかみそり構造体。
【請求項９】
刃ユニット係合構造体（１１）が、刃ユニット（２）と協働して刃ユニットの旋回動に抵抗するバネ構成要素（１８、２８）を含む、請求項１、５または８に記載のかみそり構造体。
【請求項１０】
刃ユニット係合構造体（１１）が、刃ユニット（２）と協働して刃ユニットの旋回動に抵抗するバネ構成要素（１８）を前記突張り部材（１６）上に設ける、請求項８に記載のかみそり構造体。
【請求項１１】
各ピボット構成要素（１５）が、刃ユニット（２）と協働して刃ユニットの旋回動に抵抗するバネ構成要素（２８）を含む、請求項６に記載のかみそり構造体。
【請求項１２】
バネ構成要素（１８、２８）が、刃ユニット（２）の下側面を支えるよう配置される、請求項１０または１１に記載のかみそり構造体。
【請求項１３】
バネ構成要素（１８、２８）が、ピボット構成要素（１５）またはバネ構成要素が担持された突張り部材（１６）と一体化されている、請求項１０または１１に記載のかみそり構造体。
【請求項１４】
各アーム（２１）が実質的に硬質のビーム部材（２２）を含み、このビーム部材が、ハブ（２０）と刃ユニット係合構造体（１１）にそれぞれ弾性的に蝶番式に接続される端部を有する、請求項５乃至８、１０乃至１３のいずれか一項に記載のかみそり構造体。
【請求項１５】
各アームのビーム部材（２２）が、アームの弾性的に柔軟な部分（２３、２４）によって、ハブ（２０）とそれぞれの係合部分とのうち少なくともひとつに弾性的に蝶番式に接続される、請求項１４に記載のかみそり構造体。
【請求項１６】
アームの弾性的に柔軟な部分（２３、２４）がビーム部材（２２）と一体化されている、請求項１５に記載のかみそり構造体。
【請求項１７】
アームの弾性的に柔軟な部分（２３、２４）が板バネ形状を有する、請求項１６に記載のかみそり構造体。
【請求項１８】
板バネ部分（２３、２４）が弓形を有し、その湾曲部は板バネ部分がまっすぐになるように方向づけられて、次いでハンドル（１）に向かう刃ユニット係合部分（１１）の変位に対応してその湾曲部を逆向きにする、請求項１７に記載のかみそり構造体。
【請求項１９】
板バネ部分（２３、２４）が、静止配置から最大変位配置までの刃ユニット（２）の変位における実質的に中途部分で直線状を成す、請求項１８に記載のかみそり構造体。
【請求項２０】
各アーム（２１）が、二つの板バネ部分（２３、２４）の間に接続されてそれらをＺ型構造とするビーム部材（２２）を有する、請求項１４、１５、１６、１７、１８または１９に記載のかみそり構造体。
【請求項２１】
各板バネ部分（２３、２４）が、動平面に実質的に垂直な平面内に実質的にあり、各アームの板バネ部分（２３、２４）が刃ユニットに向かって集められている、請求項２０に記載のかみそり構造体。
【請求項２２】
各アームの板バネ部分（２３、２４）が、そのアームに付けられた刃ユニット係合部分（１４）に向かって集まる、請求項２１に記載のかみそり構造体。
【請求項２３】
板バネ部分（２３、２４）が、実質的にピボット軸（Ａ）上の１点に集められている、請求項２２に記載のかみそり構造体。
【請求項２４】
刃ユニット係合構造体（１１）と弾性的に変形可能なアーム（２１）とが、一体成形物として作られている、請求項１乃至２３のいずれか一項に記載のかみそり構造体。
【請求項２５】
弾性的に変形可能なアーム（２１）がシェービングカートリッジ内で刃ユニットと合体されて、脱着可能にかみそりハンドル上に取り付け可能になっている、請求項１乃至２４のいずれか一項に記載のかみそり構造体。
【請求項２６】
弾性的に変形可能なアーム（２１）がハンドル（１）に固定的に付けられ、刃ユニットが支持構造体上に脱着可能に取り付けられることができる、請求項１乃至２５のいずれか一項に記載のかみそり構造体。
【請求項２７】
細長刃ユニット（２）をサスペンション状態で取り付ける刃ユニット支持構造体において、この構造体が、
刃ユニット（２）の長さ分に実質的に平行なピボット軸（Ａ）を成す少なくともひとつのピボット構成要素（１５）を含んで前記ピボット軸廻りに刃ユニットを旋回動させる、刃ユニット係合部（１１）と、
ハブ（２０）と、そのハブから対称的に延びて刃ユニット係合部（１１）における刃ユニットの両端部に隣接したところに配置されたそれぞれの部分（１４）に接続される一対のアーム（２１）とを含む、サスペンション部を含み、
そのアーム（２１）が弾性的に変形可能で刃ユニット係合部（１１）と支持された刃ユニット（２）とがハブ（２０）に向かって下方に変位可能になって、一方でそのアームが前記下方変位方向と前記ピボット軸（Ａ）とによって成された動平面に実質的に垂直な方向での係合部（１１）と刃ユニット（２）との動きを抑制していることを特徴とする刃ユニット支持構造体。
【請求項２８】
細長刃ユニット（２１）を安全かみそりのハンドル（１）にサスペンション状態で取り付ける刃ユニット支持構造体において、この構造体が、
ハンドル（１）に取り付けられる下方構造体（２０）と、
刃ユニット（２）と係合する上方構造体（１１）と、
下方構造体（２０）から上方構造体（１１）までハンドル軸に対し対称的に延びている一対のアーム（２１）とを含み、
各アーム（２１）が実質的に硬質のビーム部材（２２）を含み、このビーム部材が、上方構造体および下方構造体に弾性的に蝶番式にそれぞれ接続される第１端部および第２端部を有し、これらのアーム（２１）によって、上方構造体（１１）および下方構造体（２０）が所定の動平面において互いに近づきあうことができ、一方でこれらアームが、前記動平面を横切る方向での上方構造体（１１）の変位を抑制していることを特徴とする刃ユニット支持構造体。